(57)【要約】【課題】電子機器に搭載されたＨＤＤ１の交換を容易にすることが可能な電子機器筐体を提供する。【解決手段】実装ユニットの装着開口部３と、装着開口部３から筐体内外へスライド式に着脱するためのスライドレール４と、スライドレール４に対しスライド式に支持される引出し式拡張ユニットテーブル２とを備えた電子機器筐体において、スライドレール４の各々に引出し式拡張ユニットテーブル２の動きを規制する弾性変形部７を備え、弾性変形部７が引出し式拡張ユニットテーブル２を挟み込む。【選択図】図１
2009169994.tif 000002
【特許請求の範囲】
【請求項１】
実装ユニットの装着用開口を備えた電子機器筐体であって、前記電子機器筐体の実装ユニットの装着用開口部から前記電子機器筐体内外へスライド式に着脱するためのレールと、前記レールに対しスライド式に支持される引出し式拡張ユニットテーブルと、を備えることを特徴とする電子機器筐体。
【請求項２】
前記レール部は、前記引出し式拡張ユニットテーブルが前記電子機器筐体内に実装された場合に、前記引出し式拡張ユニットテーブルの動きを規制する弾性変形部を備えることを特徴とする請求項１記載の電子機器筐体。
【請求項３】
前記弾性変形部は前記引出し式拡張ユニットテーブルを挟み込むことで、前記引出し式拡張ユニットテーブルの動きを規制することを特徴とする請求項２記載の電子機器筐体。
【請求項４】
前記レール部は、側面にコの字型の部材を備え、前記コの字型の部材を内側にして、並行に対向していることを特徴とする請求項１又は２記載の電子機器筐体。
【請求項５】
前記引出し式拡張ユニットテーブルは、左右の側面の外側にコの字型の部材を備え、前記コの字型の部材は前記レールに備えられたコの字型の部材の中に嵌合する大きさであることを特徴とする請求項４記載の電子機器筐体。
【請求項６】
前記弾性変形部は前記電子機器筐体の内側で前記レールに接着されている略長方形の形状をした変形部であって、前記レールの前記引出し式拡張ユニットテーブルの側面を挟み込む位置に設けられていることを特徴とする請求項２又は３記載の電子機器筐体。
【発明の詳細な説明】
【技術分野】
【０００１】
本発明は、主にＨＤＤ（Hard Disk Drive）を搭載するパソコン（パーソナルコンピュータ）やビデオデッキ等の電子機器筐体に関し、そのＨＤＤの交換性を改良した電子機器筐体に関する。
【背景技術】
【０００２】
従来ＨＤＤは振動や衝撃に弱く、電子機器の筐体に取り付ける場合は筐体内部へネジ等により直接締結されている場合が多い。しかしこの方法では、ＨＤＤを交換する必要が生じた場合、筐体全体あるいは一部を分解する必要があり、筐体内の他の実装部品を傷つけてしまう恐れがあった。
【０００３】
また、ＨＤＤ交換性を向上させるために、ＨＤＤを箱の中に収納し、その箱をＨＤＤより大きなケースに収納し、ケースからＨＤＤ収納済みの箱ごと挿抜できる機構が提案されている。このケースとは、ＨＤＤより大きなＣＤ/ＤＶＤドライブ（５インチドライブ）の大きさに合わせたものであり、５インチドライブを搭載する箇所（５インチベイ）に搭載することが可能である。しかしこのケースは、５インチベイに空きがある場合にしか使用できず、また専用ケースを使用するためコスト高となってしまう。
【０００４】
そこで、筐体内部へネジにより直接締結させることなく、スライド自在な弾性変位部を備える可動プレートを利用することにより、装着した場合にがたつきがなく、ＨＤＤの交換性を向上させる機構が提案されている（例えば特許文献１）。また、従来利用されてきたネジではなくスライド可能なピンを利用することにより、ＨＤＤの筐体への取付けを容易にする機構も提案されている（例えば特許文献２）。
【特許文献１】特許第３５４９８５６号公報
【特許文献２】特開２００２−１２４０７０号公報
【発明の開示】
【発明が解決しようとする課題】
【０００５】
しかし上記特許文献１の技術では、ＨＤＤに取り付けた固定プレートが、装置本体側に設けられた可動プレートの穴に一部噛み込む形状となっており、さらに噛み込む位置も決まっているため、正確に位置を合わせなければ装着することができない。また、その位置合わせは可動プレート上に固定プレートを載せてから合わせることが前提となっている。これでは電子機器筐体の設置方向に規制が生じるため、汎用的ではない。さらに可動プレートは左右に分割しているため、２つの可動プレートの位置を合わせなければ固定プレートが穴に噛み込まないという問題点がある。また、固定プレート、可動プレートとも形状が複雑であるため、高コスト化を招く不都合もある。
【０００６】
さらに上記特許文献２の技術では、一度取り付けてしまうとＨＤＤの固定用穴に取り付けられたスライドピンがＨＤＤ取付け用枠体に入り込むため、そのスライドピンを枠体から抜く手段が必要である。さらにＨＤＤを横向きに取り付けたい場合、スライドピンにＨＤＤの自重がかかる方向に取り付けると、スライドピン自身がＨＤＤの自重により収縮してしまい取付け強度が低下することが考えられ、枠体からスライドピンが外れてしまいＨＤＤの破損につながることも考えられる。
【０００７】
本発明はこのような実情に鑑みてなされたものであり、ＨＤＤの交換を容易にすることが可能な電子機器筐体を提供することを目的とする。
【課題を解決するための手段】
【０００８】
請求項１記載の発明は、実装ユニットの装着用開口を備えた電子機器筐体であって、電子機器筐体の実装ユニットの装着用開口部から筐体内外へスライド式に着脱するためのレールと、レールに対しスライド式に支持される引出し式拡張ユニットテーブルと、を備えることを特徴とする。
【０００９】
請求項２記載の発明は、請求項１記載の電子機器筐体であって、レール部は、引出し式拡張ユニットテーブルが筐体内に実装された場合に、引出し式拡張ユニットテーブルの動きを規制する弾性変形部を備えることを特徴とする。
【００１０】
請求項３記載の発明は、請求項２記載の電子機器筐体であって、弾性変形部は引出し式拡張ユニットテーブルを挟み込むことで、引出し式拡張ユニットテーブルの動きを規制することを特徴とする。
【００１１】
請求項４記載の発明は、請求項１又は２記載の電子機器筐体であって、レール部は、側面にコの字型の部材を備え、コの字型の部材を内側にして、並行に対向していることを特徴とする。
【００１２】
請求項５記載の発明は、請求項４記載の電子機器筐体であって、引出し式拡張ユニットテーブルは、左右の側面の外側にコの字型の部材を備え、コの字型の部材はレールに備えられたコの字型の部材の中に嵌合する大きさであることを特徴とする。
【００１３】
請求項６記載の発明は、請求項２又は３記載の電子機器筐体であって、弾性変形部は筐体の内側でレールに接着されている略長方形の形状をした変形部であって、レールの引出し式拡張ユニットテーブルの側面を挟み込む位置に設けられていることを特徴とする。
【発明の効果】
【００１４】
本発明によれば、ＨＤＤの交換時における筐体の分解が不要となるため、内部に実装されている部品の破損やケーブルの断線を防止することが出来る。またＨＤＤの交換時には、筐体開口部から引出し式拡張ユニットテーブルごと引き抜く、あるいは筐体開口部に引出し式拡張ユニットテーブルごと挿入するため、位置合わせ等が不要であり、交換性を向上することが出来る。特に、筐体そのものが狭い所に設置されており、筐体開口部が目視できないような場合にも、開口部からの引抜、あるいは挿入するだけでよいため交換性の向上が図れる。
【発明を実施するための最良の形態】
【００１５】
以下に図面を用いて、本発明の実施形態を詳細に説明する。
【００１６】
図１は本発明の一実施形態を示す電子機器筐体の概略図である。図１は、実装ユニットの装着用開口部３へのＨＤＤ１挿入方向を示す斜視図である。図１に示す電子機器筐体は、ＨＤＤ１と、引出し式拡張ユニットテーブル２と、実装ユニットの装着用開口３と、スライドレール４とを備える。さらに図１において電子機器筐体内部にそれぞれ番号を明記しない電源、制御基板（マザーボード）、ＣＤやＤＶＤの読み取りまたは書込みを行うドライブ類を備える。ＨＤＤ１は機器内部に実装され、電子機器を制御するためのプログラムが書き込まれている。
【００１７】
図１で示すように、ＨＤＤ１はやや平らな形状をしている直方体であり、最も面積の広い面を底面及び上面として引出し式拡張ユニットテーブル２の内側に固定されている。また、ＨＤＤ１は引出し式拡張ユニットテーブル２の内側に嵌合する大きさであり、ＨＤＤ１の左右の側面と底面を引出し式ユニットテーブルに接した形で固定されており、挿入方向に向かって先端部分を引出し式拡張ユニットテーブル２から少し突出した形で固定されている。一方、引出し式拡張ユニットテーブル２は引抜方向に少し突出した形となる。すなわち、ＨＤＤ１と引出し式拡張ユニットテーブル２はＨＤＤ１を挿入方向に向かってずらした状態で固定されている。
【００１８】
引出し式拡張ユニットテーブル２は並行に並んでいる左右の側面と、底面から構成されており、左右の側面の外側にコの字型の部材を備える。また、外側にコの字型の部材を備える左右の側面は、引出し式拡張ユニットテーブル２の底面に対して垂直に設けられており、内側にはＨＤＤ１の底面と左右の両側面を接した状態で固定できる程度の空間を有する。
【００１９】
実装ユニットの装着用開口部３は略長方形の形状をしており、引出し式拡張ユニットテーブル２を挿入することができる程度の大きさを有している。スライドレール４は、実装ユニットの装着用開口３よりもわずかに電子機器筐体の内側に設置されており、相同の２本のレールがコの字型の部材を内側にして対向した状態で筐体の底面に対して垂直に設けられている。
【００２０】
図２は、本発明の一実施形態を示す電子機器筐体の概略図であり、実装ユニットの装着用開口部３の後方から図示した斜視図である。実装ユニットの装着用開口部３を入口として、筐体内にはＨＤＤ１と引出し式拡張ユニットテーブル２を固定したものが挿入できる程度の空間を有している。
【００２１】
図３は、引出し式拡張ユニットテーブル２がスライドレール４に挿入される前の状態を示した図である。スライドレール４はコの字型の部材を側面に備えており、弾性をもつ素材、例えばステンレス鋼板などで形成されている。また、スライドレール４はコの字型の部材を内側にして並行に対向した状態で、各々スライドレール固定ブラケット５に固定されている。さらに、スライドレール固定ブラケット５はベースブラケット６に固定されている。
【００２２】
スライドレール固定ブラケット５はＬ字型の形状をしており、Ｌ字型の形状を外側に向いた状態でＬ字型の底面部分はベースブラケット６に固定され、Ｌ字型の底面に対して垂直な面はスライドレール４に固定されている。スライドレール固定ブラケット５の長さはスライドレール４よりもわずかに短く、実装ユニットの装着用開口部３側にスライドレール４がわずかに突出した状態で固定されている。また、スライドレール固定ブラケット５はベースブラケット６の長さに対しては短く、実装ユニットの装着用開口部３側に固定されるため、筐体の内側には上述した引出し式拡張ユニットテーブル２から突出した状態で固定されたＨＤＤ１を収めることが可能なくらい充分にベースブラケット６が突出した状態で固定されている。
【００２３】
また、図６は引出し式拡張ユニットテーブル２の挿入／引抜方向から見た図であり、上述したスライドレール４とスライドレール固定ブラケット５とベースブラケット６が固定された状態を図示している。ベースブラケット６は長方形の平面であり、スライドレール４はベースブラケット６に対して垂直に固定されている。また、スライドレール固定ブラケット５は、Ｌ字型の底面部分はベースブラケット６に対して並行に接した状態で固定されており、Ｌ字型の底面部分に対して垂直な面はスライドレール４に対して並行に接した状態で固定されている。
【００２４】
図４は、引出し式拡張ユニットテーブル２のスライドレール４への挿入が開始された状態を示した図である。スライドレール４の対向した側面の内側には引出し式拡張ユニット２が挿入できる程度の空間を有しており、引出し式拡張ユニットテーブル２の左右の側面の外側に有するコの字型の部材は、スライドレール４が内側の側面に有するコの字型の部材の中に嵌合する大きさであり、スライドレール４のコの字型の部材の中を前後にスライドすることが可能である。また、引出し式拡張ユニットテーブル２の底面はベースブラケット６に対して並行に挿入される。
【００２５】
図５（Ａ）は、本実施形態の概略図であり使用方法を示した図で、引出し式拡張ユニットテーブル２がスライドレール４にスライド式に挿入された状態を示している。また図５（Ｂ）は、図５（Ａ）に示すＡを拡大して示した図である。図５（Ｂ）に示すようにスライドレール４の内側には、引出し式拡張ユニットテーブル２を挟み込むための弾性変形部７をスライドレール４に対して略並行方向に設けている。弾性変形部７は、略長方形の形状で、筐体の内側でスライドレール４と接着されており、スライドレール４から引出し式拡張ユニットテーブル２の側面を挟み込むことが可能な程度にわずかな狭い空間を有する。また、弾性変形部７のスライドレール４と接着した辺と対となる辺は上記の引出し式拡張ユニットテーブル２の側面を挟み込むことが可能な程度のわずかに狭い空間よりも広い空間を有し、接着した辺と対となる辺よりも接続した辺側の部分は上記したわずかに狭い空間よりもさらに狭い空間を有する。
【００２６】
図７は引出し式拡張ユニットテーブル２がスライドレール４をスライドしている状態であり、図８は引出し式拡張ユニットテーブル２が弾性変形部７に挟み込まれた状態である。図示されるように、弾性変形部７はスライドレール４の内側に各々設けられており、スライドしている引出し式拡張ユニットテーブル２の底面部よりも高い位置に設けられている。図８に示すように、引出し式拡張ユニットテーブル２の両側面を弾性変形部７により挟み込むと、引出し式拡張ユニットテーブル２をスライドレール４に対して外側の垂直方向（矢印ａ、矢印ｂ方向）に押さえつけるため、引出し式拡張ユニットテーブル２のがたつきを無くすことが可能となる。
【００２７】
本実施形態により、ＨＤＤ１を取り付けた引出し式拡張ユニット２をスライドレール４に噛み込むのではなく、挟み込むという形をとることで、正確に位置を合わせることなく装着が可能となり、ＨＤＤ１を容易に交換することが可能となる。さらに、引出し式拡張ユニットテーブル２は、スライドレール４のコの字型の部材の中を前後にスライドするので、局部的にＨＤＤ１の自重がかかることがないため、電子機器がどの方向に設置されても、引出し式拡張ユニットテーブル２をスライドさせ着脱することが可能となり、汎用的に使用することが可能となる。
【００２８】
以上、本実施形態は電子機器筐体の搭載ユニットにおけるＨＤＤ交換の実施例を示したが、電子機器筐体の搭載ユニットの交換としてはこの限ではなく、ＣＤ−、ＤＶＤ等の５インチサイズのユニットや３．５インチサイズのＦＤＤユニットにおいても本発明を適用することができ、さらに電子機器筐体に限らず、５インチサイズのユニットや３．５インチサイズのユニットを搭載する装置であればどのような装置においても本発明を適用することが可能である。
【００２９】
また、本実施形態では、スライドレール４をステンレス鋼板としているが、他の材料、例えば樹脂や他の鋼板をもちいた物でも可能である。
【図面の簡単な説明】
【００３０】
【図１】本発明の一実施形態を採用した電子機器筐体の概略斜視図であり、使用方法を示した図である。
【図２】本発明の一実施形態を採用した電子機器筐体の概略斜視図であり、使用方法を示した図である。
【図３】本発明の実施形態の概略図であり、使用方法を示した図である。
【図４】本発明の実施形態の概略図であり、使用方法を示した図である。
【図５】本発明の実施形態の概略図であり、使用方法を示した図、およびその嵌合部の拡大図である。
【図６】本発明の実施形態の正面図である。
【図７】本発明の実施形態の嵌合部の断面図である。
【図８】本発明の実施形態の嵌合部の断面図である。
【符号の説明】
【００３１】
１    ＨＤＤ
２    引出し式拡張ユニットテーブル
３    実装ユニット装着用開口
４    スライドレール
５    スライドレール固定ブラケット
６    ベースブラケット
７    弾性変形部
【図１】
2009169994.tif 000003
【図２】
2009169994.tif 000004
【図３】
2009169994.tif 000005
【図４】
2009169994.tif 000006
【図５】
2009169994.tif 000007
【図６】
2009169994.tif 000008
【図７】
2009169994.tif 000009
【図８】
2009169994.tif 000010